(57)【特許請求の範囲】
【請求項１】
所定の記録媒体に情報を記録する情報記録装置において、
主画像データから、サーチデータを生成する生成手段と、
前記生成手段により生成された前記サーチデータと、前記主画像データとを前記記録媒体に記録する記録手段と
を備え、
前記生成手段は、前記サーチデータとして、１画面全体にわたって画像を表示させることができる第１のデータと、前記第１のデータによって表示される前記画像の画質を補強するための第２のデータを、エラーチェックを実行するブロックの単位で、それぞれ複数に分割して生成するとともに、前記画像の一画面の中央部に対応する前記第２のデータと、それに対して外側となる部分に対応する少なくとも１つの前記第２のデータを生成し、
前記記録手段は、前記ブロックの単位の前記第１のデータを、再生時に１回のトレースで取得されるように記録した後、前記画像の一画面の中央部に対応するものから、外側となる部分に対応するものとなるような順番で、複数の前記第２のデータを記録する
ことを特徴とする情報記録装置。
【請求項２】
前記サーチデータは、画像データと制御データから構成され、
前記制御データはパケット構造を有し、サーチヘッダおよび前記主画像データと同一のサブコードデータが分割されて記載され、
前記パケット構造のパケットヘッダは、前記制御データにいずれのデータが記載されているかを示す
ことを特徴とする請求項１に記載の情報記録装置。
【請求項３】
前記サーチデータは、画像データと制御データから構成され、
前記制御データは、前記画像データの表示位置を示す情報、前記サーチデータが前記第１のデータまたは前記第２のデータのいずれのデータかを示す情報、および上書きされた画像データに対応するサーチデータであるか否かを検出するための情報を含んでいる
ことを特徴とする請求項１に記載の情報記録装置。
【請求項４】
所定の記録媒体に情報を記録する情報記録装置の情報記録方法において、
主画像データから、サーチデータを生成する生成ステップと、
前記生成ステップの処理により生成された前記サーチデータと、前記主画像データとを前記記録媒体に記録する記録ステップと
を含み、
前記生成ステップでは、前記サーチデータとして、１画面全体にわたって画像を表示させることができる第１のデータと、前記第１のデータによって表示される前記画像の画質を補強するための第２のデータを、エラーチェックを実行するブロックの単位で、それぞれ複数に分割して生成するとともに、前記画像の一画面の中央部に対応する前記第２のデータと、それに対して外側となる部分に対応する少なくとも１つの前記第２のデータを生成し、
前記記録ステップでは、前記ブロックの単位の前記第１のデータを、再生時に１回のトレースで取得されるように記録した後、前記画像の一画面の中央部に対応するものから、外側となる部分に対応するものとなるような順番で、複数の前記第２のデータを記録する
ことを特徴とする情報記録方法。
【請求項５】
所定の記録媒体に情報を記録する情報記録装置用のプログラムであって、
主画像データから、サーチデータを生成する生成ステップと、
前記生成ステップの処理により生成された前記サーチデータと、前記主画像データとを前記記録媒体に記録する記録ステップと
を含み、
前記生成ステップでは、前記サーチデータとして、１画面全体にわたって画像を表示させることができる第１のデータと、前記第１のデータによって表示される前記画像の画質を補強するための第２のデータを、エラーチェックを実行するブロックの単位で、それぞれ複数に分割して生成するとともに、前記画像の一画面の中央部に対応する前記第２のデータと、それに対して外側となる部分に対応する少なくとも１つの前記第２のデータを生成し、
前記記録ステップでは、前記ブロックの単位の前記第１のデータを、再生時に１回のトレースで取得されるように記録した後、前記画像の一画面の中央部に対応するものから、外側となる部分に対応するものとなるような順番で、複数の前記第２のデータを記録する
ことを特徴とするコンピュータが読み取り可能なプログラムが記録されている記録媒体。
【請求項６】
所定の記録媒体に記録されている情報を再生する情報再生装置において、
前記記録媒体に記録されている、画像データと制御データから構成されているサーチデータを取得する取得手段と、
前記取得手段により取得された前記サーチデータが、表示画像の１画面分のデータに満たない場合、前記取得手段により取得された前記サーチデータを用いて、前記表示画像を補間する補間手段と、
前記制御データに含まれる座標情報に基づいて、前記補間手段により補間された前記表示画像の表示位置を制御する表示制御手段と
を備えることを特徴とする情報再生装置。
【請求項７】
所定の記録媒体に記録されている情報を再生する情報再生装置の情報再生方法において、
前記記録媒体に記録されている、画像データと制御データから構成されているサーチデータを取得する取得ステップと、
前記取得ステップの処理により取得された前記サーチデータが、表示画像の１画面分のデータに満たない場合、前記取得ステップの処理により取得された前記サーチデータを用いて、前記表示画像を補間する補間ステップと、
前記制御データに含まれる座標情報に基づいて、前記補間ステップの処理により補間された前記表示画像の表示位置を制御する表示制御ステップと
を含むことを特徴とする情報再生方法。
【請求項８】
所定の記録媒体に記録されている情報を再生する情報再生装置用のプログラムであって、
前記記録媒体に記録されている、画像データと制御データから構成されているサーチデータを取得する取得ステップと、
前記取得ステップの処理により取得された前記サーチデータが、表示画像の１画面分のデータに満たない場合、前記取得ステップの処理により取得された前記サーチデータを用いて、前記表示画像を補間する補間ステップと、
前記制御データに含まれる座標情報に基づいて、前記補間ステップの処理により補間された前記表示画像の表示位置を制御する表示制御ステップと
を含むことを特徴とするコンピュータが読み取り可能なプログラムが記録されている記録媒体。
【発明の詳細な説明】
【０００１】
【発明の属する技術分野】
本発明は、情報記録装置および情報記録方法、情報再生装置および情報再生方法、並びに記録媒体に関し、特に、繋ぎ撮りや編集によって、サーチ用のデータが一部欠落してしまったり、サーチデータをトレースするためのトラッキング制御の引き込み時や、読み出し時にエラーなどが発生した場合にも、表示画面の全体を大まかに表示することができるようにする、情報記録装置および情報記録方法、情報再生装置および情報再生方法、並びに記録媒体に関する。
【０００２】
【従来の技術】
図1は、従来の記録再生装置１の構成を示すブロック図である。ここでは、代表的な例として、１４４０×１０８０／６０ｉの映像を、Ｎ＝１５（すなわち、１ＧＯＰ（Group of Picture）が１５フレームから構成される）の、ＭＰ＠Ｈ−１４で圧縮したデータに対して、８倍速サーチ用のサーチ画像データを配置し、表示する場合について説明する。
【０００３】
マイクロコントローラ（以下、マイコンと称す）１１は、入力部１２から入力される、ユーザの操作を示す信号に基づいて、記録再生装置１を制御するものである。マイコン１１は、例えば、サーチ画像の生成のための制御信号を生成し、サーチ用データ生成部２３に出力したり、サーチ画像表示のための制御信号を生成し、サーチ画像表示部３７に出力したり、データの選択のための制御信号を生成して、スイッチ２２、スイッチ３５、もしくはスイッチ３８に出力したり、磁気テープ３０を正逆方向に送らせるための制御信号を生成して、キャプスタンモータ１５に出力する。
【０００４】
入力部１２には、ダイヤル１３および操作ボタン１４が接続されている。ダイヤル１３は、回転操作と、回転軸に対して直行する方向（図中右方向）に押す操作が可能なようになされ、ユーザにより操作される。操作ボタン１４は、例えば、録画ボタンや、磁気テープ３０の取り出しボタンなどの各種ボタンから構成され、ユーザの操作内容を示す信号を、入力部１２に出力する。入力部１２は、ダイヤル１３、もしくは操作ボタン１４から入力された、ユーザの操作を示す信号を、マイコン１１に出力する。
【０００５】
キャプスタンモータ１５は、マイコン１１から入力される制御信号に従って、磁気テープ３０を駆動させる。
【０００６】
映像データ圧縮処理部２１は、入力された映像信号を、例えば、ＭＰＥＧ２のＭＰ＠Ｈ−１４で圧縮し、図２に示されるような、Ｉピクチャ、Ｂピクチャ、およびＰピクチャで構成される、１５フレームからなる複数のＧＯＰ（ＧＯＰ０，ＧＯＰ１・・・ＧＯＰｎ）から構成される圧縮データを生成して、スイッチ２２およびサーチ用データ生成部２３に供給する。
【０００７】
サーチ用データ生成部２３は、圧縮された画像データから、サーチ用のデータを生成する。すなわち、サーチ用データ生成部２３は、それぞれのＧＯＰの、Ｉピクチャ、Ｂピクチャ、およびＰピクチャのうち、イントラフレームで構成されるＩピクチャを抽出し、サーチ用画像データを生成する。それぞれのＩピクチャからは、１フレームのサーチ用画像データが生成される。
【０００８】
ここで、サーチ用データ生成部２３において、Ｉピクチャから生成されるサーチ用画像データについて、図３を用いて説明する。エンコード前、もしくはデコード後における画像データの輝度データの有効画素数は、平行方向に１４４０サンプル、垂直方向に１０８０サンプルである。また、色差データの有効画素数は、水平方向に７２０サンプル、垂直方向に５４０サンプルである。この画像データに対するサーチ用画像の１画面は、図３に示されるように、水平方向に９０（＝１４４０÷１６）個、垂直方向に６８（＝１０８０÷１６（小数点切り上げ））個のマクロブロック（ＭＢ）から形成される。すなわち、サーチ用画像の１画面は、９０×６８の６１２０マクロブロックで構成される。
【０００９】
１つのマクロブロックは、８画素×８画素のＤＣＴブロック４つに分割された輝度信号Ｙから、それぞれＤＣ成分を抽出して、６ビットに変換したデータと、８画素×８画素のＤＣＴブロックの色差信号ＣｂおよびＣｒのそれぞれからＤＣ成分を抽出して、それぞれ５ビットのデータに変換したデータとの６つのデータから構成される。すなわち、１マクロブロックは、３４ビットのデータで構成される。
【００１０】
音声データ圧縮処理部２４は、入力された音声データを圧縮し、スイッチ２２に出力する。スイッチ２２は、映像データ圧縮処理部２１、サーチ用データ生成部２３、音声データ圧縮処理部２４、および入力されたシステムデータの中から、マイコン１１の制御に従ってデータを選択し、誤り符号ＩＤ付加部２５に出力する。
【００１１】
誤り符合ＩＤ付加部２５は、入力されたデータに、Ｃ１，Ｃ２の誤り検出訂正符号（Parity）、およびＩＤを付加し、１６トラック間でのインターリーブ処理を施して、シンク付加変調部２６に出力する。シンク付加変調部２６は、入力されたデータに、パケットの先頭であることを示す１６ビットのシンク（Sync）パターンを付加し、所定の変調を施して、Ｐ／Ｓ（パラレル／シリアル）変換部２７に出力する。
【００１２】
Ｐ／Ｓ変換部２７は、入力されたデータをパラレルデータからシリアルデータに変換し、アンプ２８に出力する。アンプ２８は、入力されたデータを増幅し、回転ヘッド２９に出力する。回転ヘッド２９は、図示しない回転ドラムに取り付けられており、入力されたデータを磁気テープ３０に記録させる。
【００１３】
図４に、８倍速サーチ用のサーチ用画像データ領域の配置例を示す。１つのサーチ用画像データ領域には、ＳＢ（０）乃至ＳＢ（１６）の１７シンクブロックのサーチ用画像データが挿入される。１シンクブロックのサーチピクチャデータ量は７２０ビットであり、３４ビットのマクロブロックが、最大２１マクロブロック含まれる。そして、複数個のサーチ用画像データ領域が、ＥＣＣインターリーブ単位である１６トラック周期で、一回のトレースで少なくとも３４シンクブロック取得可能なように配置される。
【００１４】
そして、図５に示されるように、９トレース分のサーチ用画像データが、１４４トラックに渡って配置される。ここで、１０トレース目は、１ＧＯＰ（１５フレーム）が、平均して１５０トラックに記録されるように、必要に応じてダミーデータが挿入される。
【００１５】
１トレースで３４シンクブロックを取得することができる場合、９トレースで取得されるマクロブロックの数は、２１×３４×９から、６４２６マクロブロックであるので、サーチ用画像を１画面（６１２０マクロブロックで構成されている）を表示するためのデータを取得することができる。
【００１６】
再度、図１に戻り、磁気テープ３０に記録されたデータの再生処理について説明する。
【００１７】
磁気テープ３０に記録されたデータは、回転ヘッド２９によって、アナログの電気信号として読み取られ、アンプ３１に出力されて増幅され、Ａ／Ｄ変換部３２に出力される。Ａ／Ｄ変換部３２は、入力されたアナログの電気信号を、デジタルデータに変換し、復調部３３に出力する。復調部３３は、入力されたデジタルデータを復調して、誤り訂正ＩＤ検出部３４に出力する。誤り訂正ＩＤ検出部３４は、Ｃ１およびＣ２の誤り検出訂正符号を基に、誤り訂正を行い、ＩＤを検出し、デインターリーブ処理を実行する。
【００１８】
そして、誤り訂正ＩＤ検出部３４から出力されたデータは、シンクブロックヘッダを基に、映像データは、映像データ伸長部３６に、サーチ用画像データは、サーチ画像表示部３７に、音声データは、音声データ伸長部３８に、スイッチ３５を介して出力される。また、サブコードデータや、ＡＵＸデータは、システムデータとして、スイッチ３５を介して出力される。
【００１９】
通常再生時には、映像データ伸長部３６は、入力された映像データを伸長し、必要があれば、デジタルデータからアナログデータに変換し、スイッチ３８を介して、例えば、液晶パネルなどにより構成されるモニタ３９に出力して表示させる。サーチ時には、サーチ画像表示部３７は、取得されたサーチデータを、一時蓄積し、蓄積されたデータを画像処理して、サーチ用画像データを生成して、その内部に有するバッファに保存することができる。サーチ画像表示部３７は、バッファに保存されたサーチ用画像データを、必要があれば、デジタルデータからアナログデータに変換し、スイッチ３８を介して、モニタ３９に出力して表示させる。
【００２０】
また、撮影モードにおいては、図示しない画像撮影部（例えばＣＣＤカメラなど）から、モニタ３９に撮影中の画像データが入力されるようになされており、モニタ３９には、画像撮影部によって撮影されている画像データが表示されるようになされている。
【００２１】
スイッチ３８は、マイコン１１の制御に従って、モニタ３９に出力して表示させるデータを、映像データ伸長部３６から出力されるデータと、サーチ画像表示部３７から出力されるデータとで切り替える処理を実行する。
【００２２】
音声データ伸長部３８は、入力された音声データを伸長し、必要があれば、デジタルデータからアナログデータに変換し、スピーカ４１から出力させる。
【００２３】
【発明が解決しようとする課題】
しかしながら、データが予め記録されている磁気テープ３０に対して、編集が行われたり、繋ぎ撮りが行われることなどにより、記録されているデータに新たなデータが上書きされるような場合、例えば、３フレームや６フレームなどの、通常よりも短いＧＯＰが生じてしまうことがある。これは、記録再生装置１において、３フレーム単位での繋ぎ撮りや編集を可能にしているためである。
【００２４】
例えば、ＧＯＰ０の４フレーム目以降に、ＧＯＰ１が上書きされた場合、図６に示されるように、繋ぎ撮りや編集の後に磁気テープ３０上に残されるＧＯＰ０のピクチャは、３フレームのみになってしまう。また、ＧＯＰ０の１０フレーム以降に、ＧＯＰ１が上書きされた場合、図７に示されるように、繋ぎ撮りや編集の後に磁気テープ３０上に残されるＧＯＰ０のピクチャは、６フレームのみになってしまう。
【００２５】
すなわち、図６や図７に示される場合においては、下地であるＧＯＰ０のサーチ用画像データの一部、詳細に言うと、サーチ用画像データを配置している９トレース分のＥＣＣインターリーブ単位のうちの一部が失われてしまうことになる。このような場合、表示されるサーチ画像は、画面の下側が一部表示されないなど、非常に見苦しいものとなってしまう。
【００２６】
また、サーチデータをトレースするためのトラッキング制御の引き込み時や、読み出し時にエラーなどが発生した場合にも、サーチ用画像データが１画面分揃わなくなるために、画面の一部分が表示されない場合がある。
【００２７】
本発明はこのような状況に鑑みてなされたものであり、繋ぎ撮りや編集によって、サーチ用のデータが一部欠落してしまったり、サーチデータをトレースするためのトラッキング制御の引き込み時や、読み出し時にエラーなどが発生した場合にも、取得できたサーチ用データを用いて、表示画面の全体を大まかに表示することができるようにするものであり、更に、取得できたサーチ用のデータの情報量に応じて、その画質を向上させることを可能とするものである。
【００２８】
【課題を解決するための手段】
本発明の情報記録装置は、主画像データから、サーチデータを生成する生成手段と、生成手段により生成されたサーチデータと、主画像データとを記録媒体に記録する記録手段とを備え、生成手段は、サーチデータとして、１画面全体にわたって画像を表示させることができる第１のデータと、第１のデータによって表示される画像の画質を補強するための第２のデータを、エラーチェックを実行するブロックの単位で、それぞれ複数に分割して生成するとともに、画像の一画面の中央部に対応する第２のデータと、それに対して外側となる部分に対応する少なくとも１つの第２のデータを生成し、記録手段は、ブロックの単位の第１のデータを、再生時に１回のトレースで取得されるように記録した後、画像の一画面の中央部に対応するものから、外側となる部分に対応するものとなるような順番で、複数の第２のデータを記録することを特徴とする。
【００３４】
サーチデータは、画像データと制御データから構成されるものとし、制御データはパケット構造を有するものとし、サーチヘッダおよび主画像データと同一のサブコードデータが分割されて記載されるものとし、パケット構造のパケットヘッダは、制御データにいずれのデータが記載されているかを示すものとすることができる。
サーチデータは、画像データと制御データから構成され、制御データは、画像データの表示位置を示す情報、サーチデータが第１のデータまたは第２のデータのいずれのデータかを示す情報、および上書きされた画像データに対応するサーチデータであるか否かを検出するための情報を含んでいるようにすることができる。
【００３５】
本発明の情報記録方法は、主画像データから、サーチデータを生成する生成ステップと、生成ステップの処理により生成されたサーチデータと、主画像データとを記録媒体に記録する記録ステップとを含み、生成ステップでは、サーチデータとして、１画面全体にわたって画像を表示させることができる第１のデータと、第１のデータによって表示される画像の画質を補強するための第２のデータを、エラーチェックを実行するブロックの単位で、それぞれ複数に分割して生成するとともに、画像の一画面の中央部に対応する第２のデータと、それに対して外側となる部分に対応する少なくとも１つの第２のデータを生成し、記録ステップでは、ブロックの単位の第１のデータを、再生時に１回のトレースで取得されるように記録した後、画像の一画面の中央部に対応するものから、外側となる部分に対応するものとなるような順番で、複数の第２のデータを記録することを特徴とする。
【００３６】
本発明の第１の記録媒体に記録されているプログラムは、主画像データから、サーチデータを生成する生成ステップと、生成ステップの処理により生成されたサーチデータと、主画像データとを記録媒体に記録する記録ステップとを含み、生成ステップでは、サーチデータとして、１画面全体にわたって画像を表示させることができる第１のデータと、第１のデータによって表示される画像の画質を補強するための第２のデータを、エラーチェックを実行するブロックの単位で、それぞれ複数に分割して生成するとともに、画像の一画面の中央部に対応する第２のデータと、それに対して外側となる部分に対応する少なくとも１つの第２のデータを生成し、記録ステップでは、ブロックの単位の第１のデータを、再生時に１回のトレースで取得されるように記録した後、画像の一画面の中央部に対応するものから、外側となる部分に対応するものとなるような順番で、複数の第２のデータを記録することを特徴とする。
【００３７】
本発明の情報再生装置は、記録媒体に記録されている、画像データと制御データから構成されているサーチデータを取得する取得手段と、取得手段により取得されたサーチデータが、表示画像の１画面分のデータに満たない場合、取得手段により取得されたサーチデータを用いて、表示画像を補間する補間手段と、制御データに含まれる座標情報に基づいて、補間手段により補間された表示画像の表示位置を制御する表示制御手段とを備えることを特徴とする。
【００３９】
本発明の情報再生方法は、記録媒体に記録されている、画像データと制御データから構成されているサーチデータを取得する取得ステップと、取得ステップの処理により取得されたサーチデータが、表示画像の１画面分のデータに満たない場合、取得ステップの処理により取得されたサーチデータを用いて、表示画像を補間する補間ステップと、制御データに含まれる座標情報に基づいて、補間ステップの処理により補間された表示画像の表示位置を制御する表示制御ステップとを含むことを特徴とする。
【００４０】
本発明の第２の記録媒体に記録されているプログラムは、記録媒体に記録されている、画像データと制御データから構成されているサーチデータを取得する取得ステップと、取得ステップの処理により取得されたサーチデータが、表示画像の１画面分のデータに満たない場合、取得ステップの処理により取得されたサーチデータを用いて、表示画像を補間する補間ステップと、制御データに含まれる座標情報に基づいて、補間ステップの処理により補間された表示画像の表示位置を制御する表示制御ステップとを含むことを特徴とする。
【００４８】
本発明の情報記録装置、情報記録方法、および第１の記録媒体に記録されているプログラムにおいては、主画像データから、サーチデータが生成され、生成されたサーチデータと、主画像データとが記録媒体に記録され、サーチデータとして、１画面全体にわたって画像を表示させることができる第１のデータと、第１のデータによって表示される画像の画質を補強するための第２のデータが、エラーチェックを実行するブロックの単位で、それぞれ複数に分割して生成されるとともに、画像の一画面の中央部に対応する第２のデータと、それに対して外側となる部分に対応する少なくとも１つの第２のデータが生成され、ブロックの単位の第１のデータが、再生時に１回のトレースで取得されるように記録された後、画像の一画面の中央部に対応するものから、外側となる部分に対応するものとなるような順番で、複数の第２のデータが記録される。
【００４９】
本発明の情報再生装置、情報再生方法、および第２の記録媒体に記録されているプログラムにおいては、記録媒体に記録されている、画像データと制御データから構成されているサーチデータが取得され、取得されたサーチデータが、表示画像の１画面分のデータに満たない場合、サーチデータを用いて、表示画像が補間され、制御データに含まれる座標情報に基づいて、表示画像の表示位置が制御される。
【００５１】
【発明の実施の形態】
以下、図を参照して、本発明の実施の形態について説明する。
【００５２】
図８は、本発明を適用した、記録再生装置５１の構成を示すブロック図である。なお、従来の場合と対応する部分には同一の符号を付してあり、その説明は適宜省略する。
【００５３】
すなわち、図８の記録再生装置５１は、マイコン１１に代わって、マイコン６１が設けられ、サーチ用データ生成部２３に変わって、サーチ用データ生成部６２が設けられ、サーチ用画像表示部３７に代わって、サーチ用画像表示部６３が設けられ、新たに、ドライブ６４が設けられている以外は、図１を用いて説明した記録再生装置１と、基本的に同様の構成を有するものである。
【００５４】
マイコン１１は、記録再生装置５１の各部を制御するものである。サーチ用データ生成部６２は、映像データ圧縮処理部２１から入力されたデータからＩピクチャを抽出し、Ｉピクチャから、ベースデータ用のサーチ用画像データと、ヘルパーデータ用のサーチ用画像データを生成する。
【００５５】
図３を用いて説明したように、従来のサーチ用画像データのマクロブロックは、８画素×８画素のＤＣＴブロック４つに分割された輝度信号Ｙ０乃至Ｙ３から、それぞれＤＣ成分を抽出して６ビットに変換したデータと、８画素×８画素のＤＣＴブロックの色差信号ＣｂおよびＣｒのそれぞれからＤＣ成分を抽出して、それぞれ５ビットのデータに変換したデータとの６つのデータから構成される。ここで、サーチ用データ生成部６２で生成されるサーチ用画像データは、図９（Ａ）に示されるベースデータ用マクロブロックと、図９（Ｂ）に示されるヘルパーデータ用のマクロブロックの２種類である。
【００５６】
ベースデータは、図９（Ａ）に示されるように、８画素×８画素のＤＣＴブロックの輝度信号Ｙ０からＤＣ成分を抽出して６ビットに変換したマクロブロックと、８画素×８画素のＤＣＴブロックの色差信号ＣｂおよびＣｒのそれぞれからＤＣ成分を抽出して、それぞれ５ビットのデータに変換したマクロブロックとの３つのマクロブロックから構成される。また、ヘルパーデータは、図９（Ｂ）に示されるように、８画素×８画素のＤＣＴブロックの輝度信号Ｙ１乃至Ｙ３からＤＣ成分を抽出して６ビットに変換した３つのマクロブロックから構成される。
【００５７】
そして、映像データ圧縮処理部２１から出力された主画像データ、サーチ用データ生成部６２で生成されたサーチ用画像データ、音声データ圧縮処理部２４から出力された音声データ、および、入力されたシステムデータは、従来の場合と同様に、スイッチ２２、誤り符号ＩＤ付加部２５、シンク付加変調部２６、Ｐ／Ｓ変換部２７、およびアンプ２８を介して、回転ヘッド２９に出力され、磁気テープ３０に記録される。
【００５８】
図１０に、磁気テープ３０上に、回転ヘッド２９によって記録されるデータのトラック構造を示す。回転ヘッド２９が１回トレースする毎に、プリアンブル（Preamble：Ｐr）、メインデータ（Main data：Ｍ）、サブコードセクタ（Sub code sector：Ｓ）、および、ポストアンブル（Post amble：Ｐｏ）が記録される。そして、１６トラックで、１ＥＣＣ（Error-Correcting Code）インターリーブ単位が構成されており、１ＥＣＣインターリーブ単位毎に、エラー訂正が実行される。従って、磁気テープ３０上での繋ぎ撮りや編集も、ＥＣＣインターリーブ単位で実行される。
【００５９】
図１１にメインセクタの構成を示す。
【００６０】
誤り符合ＩＤ付加部２５において、ＡＵＸデータ、オーディオデータ、ビデオデータ、もしくは、サーチデータからなる７６０ビットのメインデータは、そのデータの内容を示す８ビットのＳＢ（シンクブロック）ヘッダが付加されて、記録再生時のエラーに対応するための誤り訂正符号であるＣ１パリティ、バーストエラーに対応するための誤り訂正符号であるＣ２パリティなどの冗長情報が付加され、更に、データのアドレス情報などを含む２４ビットのＩＤが付加される。Ｃ１パリティはインナーパリティとも称され、Ｃ２パリティは、アウターパリティとも称される。
【００６１】
ベースデータに対応するメインセクタのサーチデータには、図９（Ａ）を用いて説明したマクロブロックが記録され、ヘルパーデータに対応するメインセクタのサーチデータには、図９（Ｂ）を用いて説明したマクロブロックが記録される。そして、図４を用いて説明した場合と同様のサーチ用画像データ領域に、ベースデータ、もしくはヘルパーデータで構成されているサーチ用画像データが記録される。
【００６２】
そして、図１２に示されるように、９トレース分のサーチ用画像データが、４トレース分のベースデータと、５トレース分のヘルパーデータに分かれて、１４４トラックに渡って配置される。ここで、１０トレース目は、１ＧＯＰ（１５フレーム）が、平均して１５０トラックに記録されるように、必要に応じてダミーデータが挿入される。
【００６３】
トラックに配置されるサーチ用シンクブロックのデータ構成について、図１３を用いて説明する。
【００６４】
９６バイトのシンクブロックは、８ビットのシンクブロック共通ヘッダ、４０ビットのサーチ用シンクブロックヘッダ、および、７２０ビットのサーチ用画像データで構成されている。第１トレース乃至第４トレースのサーチ用画像データはベースデータであるので、図９（Ａ）を用いて説明した、輝度信号Ｙ０のＤＣ成分を６ビットに変換したマクロブロックと、８画素×８画素のＤＣＴブロックの色差信号ＣｂおよびＣｒのＤＣ成分を、それぞれ５ビットのデータに変換したマクロブロックとが、４５マクロブロック分記録される。また、第５トレース乃至第９トレースのサーチ用画像データは、ヘルパーデータであるので、図９（Ｂ）を用いて説明した輝度信号Ｙ１乃至Ｙ３のＤＣ成分を６ビットに変換したマクロブロックが、４０マクロブロック分記録される。
【００６５】
図４を用いて説明したように、８倍速で１回トレースを行った場合、３４シンクブロックのデータを取得することができる。従って、４トレース分のサーチ用画像データを取得すれば、４５（マクロブロック）×３４（シンクブロック）×４（トレース）で、６１２０マクロブロックのデータを取得することができるため、サーチ用画像１画面分のデータを得ることができる。ただし、この場合、得ることができる輝度信号はＹ０のみである。
【００６６】
図１３のサーチ用シンクブロックヘッダに記録されるデータの内容を図１４に示す。サーチ用シンクブロックヘッダの先頭７ビットは、シンクブロック内の先頭のマクロブロックのＸ座標を示すＳＢ Ｘ addressである。１ビットのリザーブ（Reserved）を挟んで、次の７ビットは、シンクブロック内の先頭のマクロブロックのＹ座標を示すＳＢ Ｙ addressである。１ビットのリザーブを挟んで、次の１ビットは、サーチ用画像データが、ベースデータか、ヘルパーデータであるかを示す、ピクチャクラス（Picture Class）ＩＤであり、ピクチャＩＤが０のとき、サーチ用画像データはベースデータであり、ピクチャＩＤが１のとき、サーチ用画像データはヘルパーデータである。
【００６７】
ピクチャチェンジカウンタ（Picture Change Counter）情報は、このシンクブロックに対応するデータは、異なるサーチ用画像データ（上書きされた画像データに対応するサーチ用画像データ）であるか否かを検出するための２ビットのカウンタデータである。パケットヘッダ（Packet Header）は、続く１６ビットのパケットデータ（Packet Data）の内容を示す５ビットのデータである。パケットデータは、サーチ画像を表示させるための各種情報を含むデータである。パケットヘッダが０乃至３１を示す場合のパケットデータの詳細を、図１５に示す。
【００６８】
パケットヘッダが０である場合、パケットデータには、サーチヘッダ（Search header）（Ｈ）が記載され、パケットヘッダが１である場合、パケットデータには、サーチヘッダ（Search header）（Ｌ）が記載される。
【００６９】
図１６にサーチヘッダ（Ｈ）および（Ｌ）に記載されるデータの詳細を示す。サーチヘッダ（Ｈ）には、プログレッシブ画像であるか、インタレース画像であるかを示すＰ／Ｉ情報、アスペクトレート（Aspect ratio）情報、およびフレームレート（Frame ratio）情報などの、サーチ画像を表示するための各種情報、並びに、Native（本装置によるエンコードストリーム）記録であるか、ＴＳ記録であるかを示すNative／ＴＳ情報、記録開始点を示すRec start flag、コピー可能回数の情報を示すＣＧＭＳ（Copy Generate Management System）フラグが定義されている。サーチヘッダ（Ｈ）には、水平サンプル数を示すHorizontal sizeおよび垂直サンプル数を示すVertical sizeが定義されている。
【００７０】
パケットヘッダが２乃至９である場合、パケットデータには、ＴＴＳ（Title Time Code），REC TIME，REC DATA，ATN（Absolute Track Number：アブソリュートトラックナンバ）+FLGなどの、通常再生用のサブコードデータと同様の内容が定義され、これらの情報により、通常再生用の主画像データと、サーチ用画像データとを同期させて表示させることが可能となる。
【００７１】
また、パケットヘッダが１０乃至１３である場合、パケットデータには、PART TIMEおよびCHAPTER STARTなどの、既に記録された磁気テープ３０用のデータが定義される。
【００７２】
図１７に、マクロブロックと表示画面の対応を示す。表示画面は、図３を用いて説明した場合と同様に、縦が６８マクロブロック、横が９０マクロブロックで構成されている。図１３を用いて説明したように、１シンクブロックに含まれるベースデータは、４５マクロブロックであるから、１シンクブロックのベースデータは、表示画面の１ラインの半分に対応する。サーチ画像表示部６３は、ベースデータのマクロブロックを、図１４を用いて説明したサーチ用シンクブロックヘッダのＳＢ Ｘ addressおよびＳＢ Ｙ addressで指定される座標から、図中左から右にマッピングする。
【００７３】
編集や、新たなデータの上書きなどにより、１トレース分のサーチ用画像データのみが残っている場合、図１８に示されるように、第１トレースのベースデータ（すなわち、４５（マクロブロック）×３４（シンクブロック）のデータ）のみが、例えば、４×ｎ＋３（ｎ＝０，１，２・・・１６）番目のラインに表示される。このように、ベースデータで構成される、第１トレースのサーチ用画像データを、画面全体に分散させることにより、１回のトレースにより取得できる情報で、画面全体の内容を、おおむね表示することができるようになる。
【００７４】
また、サーチ画像表示部６３が、図１９に示されるように、図１８に示した第１トレースにより取得されたベースデータを、その上下のデータが取得されていないマクロブロックに補間することにより、更に見易い画像データを表示させるようにすることができる。
【００７５】
例えば、編集や、新たなデータの上書きなどにより、第１トレースおよび第２トレースのサーチ用画像データのみが残っている場合、図２０に示されるように、第１トレースのベースデータを、４×ｎ＋３（ｎ＝０，１，２・・・１６）番目のラインに表示させ、第２トレースのベースデータを、４×ｎ＋１（ｎ＝０，１，２・・・１６）番目のラインに表示させれば、図１８に示した場合より、全体が更に見易い画像データが表示される。この場合も同様に、サーチ画像表示部６３が、上下のデータが取得されていないマクロブロックに、第１トレースおよび第２トレースのベースデータを補間することにより、図２１に示されるような表示画面を得ることができる。
【００７６】
そして、トレース数が増えるに従って、完全な画像データに近い画像データを表示することが可能となる。例えば、第４トレースまでのサーチ用画像データを取得することができた場合、全てのベースデータを取得することができるので、全てのマクロブロックに対応する輝度信号Ｙ０、色差信号ＣｂおよびＣｒを得ることができる。しかし、この状態では、輝度信号Ｙ１乃至Ｙ３が取得されていないので、完全な画像データは表示されない。
【００７７】
第５トレース乃至第９トレースのヘルパーデータを取得することにより、各マクロブロック内の輝度情報が増加し、表示される画像の画質が向上する。このヘルパーデータについても、図１４を用いて説明したサーチ用シンクブロックヘッダのＳＢ Ｘ addressおよびＳＢ Ｙ addressで指定される座標から、ヘルパーデータのマクロブロックが、図中左から右にマッピングされる。
【００７８】
編集や上書きなどにより、サーチ用画像データが消去されてしまう可能性は、より後ろに記録されているもの（すなわち、番号の大きなトレースのデータ）のほうが大きい。例えば、図２２に示されるように、第５トレースから順に、表示画面の中央に対応するマクロブロックの輝度信号Ｙ１乃至Ｙ３を対応させることにより、データが一部欠落したサーチ用画像データを見るユーザに、表示画像の不自然さをできるだけ感じさせないようにすることができる。
【００７９】
ここでは、繋ぎ撮りによって、サーチ用画像データの一部が消去されてしまう場合について説明したが、例えば、サーチデータをトレースするためのトラッキング制御の引き込み時や、読み出し時にエラーなどが発生して、サーチ用画像データが１画面分揃わなかった場合にも、本発明を適応することにより、取得できたサーチ用画像データを用いて、データが一部欠落したサーチ用画像データを見るユーザに、表示画像の不自然さをできるだけ感じさせないようにすることができる。
【００８０】
なお、主画像データおよびサーチ用画像データの構造が、ここで説明した場合と異なるデータサイズであったり、他の種類の画像フォーマットである場合においても、本発明を適応させることが可能である。
【００８１】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００８２】
この記録媒体は、図８に示すように、コンピュータとは別に、ユーザにプログラムを提供するために配布される、プログラムが記録されている磁気ディスク７１（フロッピーディスクを含む）、光ディスク７２（CD-ROM（Compact Disk-Read Only Memory），DVD（Digital Versatile Disk)を含む)、光磁気ディスク７３（ＭＤ(Mini-Disk)を含む）、もしくは半導体メモリ７４などよりなるパッケージメディアなどにより構成される。
【００８３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８４】
【発明の効果】
本発明の情報記録装置、情報記録方法、および第１の記録媒体に記録されているプログラムによれば、例えば、繋ぎ撮りや編集によって、サーチ用のデータが一部欠落してしまった場合にも、少なくとも第１のデータが取得されていれば、表示画面の全体を大まかに表示することができるようなサーチデータを生成して記録媒体に記録することができる。
【００８５】
本発明の情報再生装置、情報再生方法、および第２の記録媒体に記録されているプログラムによれば、例えば、繋ぎ撮りや編集によって、サーチ用のデータが一部欠落した場合にも、取得されたデータだけを用いて、表示画面の全体を大まかに表示することができる。
【図面の簡単な説明】
【図１】従来の記録再生装置の構成を示すブロック図である。
【図２】サーチ用画像データについて説明するための図である。
【図３】マクロブロックについて説明するための図である。
【図４】サーチ用画像データ領域の配置例について説明するための図である。
【図５】サーチ用画像データ領域の配置例について説明するための図である。
【図６】編集点付近のピクチャデータについて説明するための図である。
【図７】編集点付近のピクチャデータについて説明するための図である。
【図８】本発明を適応した記録再生装置の構成を示すブロック図である。
【図９】ベースデータおよびヘルパーデータに記録されるマクロブロックについて説明するための図である。
【図１０】磁気テープのトラックフォーマットについて説明するための図である。
【図１１】メインセクタの構成について説明するための図である。
【図１２】サーチ用画像データ領域の配置例について説明するための図である。
【図１３】サーチ用シンクブロックの構造について説明するための図である。
【図１４】サーチ用シンクブロックヘッダの内容について説明するための図である。
【図１５】パケットデータの構造について説明するための図である。
【図１６】サーチヘッダ情報について説明するための図である。
【図１７】マクロブロックと表示画面の対応を表す図である。
【図１８】第１トレースにより取得されたデータが表示された表示画面について説明するための図である。
【図１９】図１８のデータを基に、補間が施された表示画面について説明するための図である。
【図２０】第１トレースおよび第２トレースにより取得されたデータが表示された表示画面について説明するための図である。
【図２１】図２０のデータを基に、補間が施された表示画面について説明するための図である。
【図２２】ヘルパーデータと表示画面の対応について説明するための図である。
【符号の説明】
２１  画像データ圧縮処理部，  ２５  誤り符号ＩＤ付加部，  ２６  シンク付加変調部，  ３３  復調部，  ３４  誤り訂正ＩＤ検出部，  ３０  磁気テープ，  ５１  記録再生装置，  ６１  マイコン，  ６２  サーチ用データ生成部，  ６３  サーチ画像表示部
【図１】
0004403657.tif 000002
【図２】
0004403657.tif 000003
【図３】
0004403657.tif 000004
【図４】
0004403657.tif 000005
【図５】
0004403657.tif 000006
【図６】
0004403657.tif 000007
【図７】
0004403657.tif 000008
【図８】
0004403657.tif 000009
【図９】
0004403657.tif 000010
【図１０】
0004403657.tif 000011
【図１１】
0004403657.tif 000012
【図１２】
0004403657.tif 000013
【図１３】
0004403657.tif 000014
【図１４】
0004403657.tif 000015
【図１５】
0004403657.tif 000016
【図１６】
0004403657.tif 000017
【図１７】
0004403657.tif 000018
【図１８】
0004403657.tif 000019
【図１９】
0004403657.tif 000020
【図２０】
0004403657.tif 000021
【図２１】
0004403657.tif 000022
【図２２】
0004403657.tif 000023